(57)【要約】【課題】沈降した異物の巻き上げを防止でき、出口流路付近の装置内の流動状態の乱れを抑制できる水中異物除去装置を提供する。【解決手段】上部２ａが上端部から下方に向かうに連れて直径が広がる外形円錐状に形成された貯水槽２と、貯水槽２の上部２ａの傾斜面に設けられ、貯水槽２の壁に対して接線方向から水を流入させる水流入口１と、貯水槽２の上部２ａの上端面を貫通して設けられ、貯水槽２内の水を流出させる水流出口６と、貯水槽２の中に設けられた整流体３とを備え、整流体３は、上部３ａが水流出口６から下方に向かうに連れて直径が広がる貯水槽２の上部２ａの傾斜面と平行な外形円錐状に形成され、下部３ｂが円筒状に形成され、水流入口１から流入する水は、貯水槽２と整流体３との間を旋回しながら降下した後に、整流体３の内側に入って上昇し、水流出口６から流出する。【選択図】図１
2014144442.tif 000002
【特許請求の範囲】
【請求項１】
上部が上端部から下方に向かうに連れて直径が広がる外形円錐状に形成された貯水槽と、
前記貯水槽の上部の傾斜面に設けられ、当該貯水槽の壁に対して接線方向から水を流入させる水流入口と、
前記貯水槽の上部の上端面を貫通して設けられ、当該貯水槽内の水を流出させる水流出口と、
前記貯水槽の中に設けられた整流体とを備え、
前記整流体は、上部が前記水流出口から下方に向かうに連れて直径が広がる前記貯水槽の上部の傾斜面と平行な外形円錐状に形成され、
前記水流入口から流入する水は、前記貯水槽と前記整流体との間を旋回しながら降下した後に、前記整流体の内側に入って上昇し、前記水流出口から流出することを特徴とする水中異物除去装置。
【請求項２】
前記整流体の最大半径を前記貯水槽の上部の最大半径の０．６７倍以下としたことを特徴とする請求項１記載の水中異物除去装置。
【請求項３】
前記貯水槽の下部の半径を前記整流体の最大半径の１．５倍以上としたことを特徴とする請求項１又は２記載の水中異物除去装置。
【請求項４】
前記貯水槽は、下部が分離部として取り外し可能に接続されていることを特徴とする請求項１〜３の何れか一項に記載の水中異物除去装置。
【請求項５】
前記整流体の下端から前記分離部の底部までの高さは、前記整流体の高さ以上であることを特徴とする請求項４記載の水中異物除去装置。
【請求項６】
前記分離部の底部に設置され、上下・左右が対称となるように複数の捕捉板を配置して格子状に構成され、前記分離部の高さより低い異物捕捉部を備えたことを特徴とする請求項４又は５記載の水中異物除去装置。
【請求項７】
前記分離部の底部に設置され、中心を同一とする直径の異なるリング捕捉板を前記分離部の高さより低く積層して構成された異物捕捉部を備えたことを特徴とする請求項４又は５記載の水中異物除去装置。
【請求項８】
前記分離部の底部に周方向に配置された先端の尖った複数の捕捉棒で構成される異物捕捉部を備えたことを特徴とする請求項４又は５記載の水中異物除去装置。
【請求項９】
前記分離部の中央に設置され、その設置位置が当該分離部の高さより低く前記異物捕捉部の高さ以上である異物上昇抑制板を備えたことを特徴とする請求項６〜８の何れか一項に記載の水中異物除去装置。
【請求項１０】
前記異物上昇抑制板は、上面が上方に突出する円弧状に形成されていることを特徴とする請求項９記載の水中異物除去装置。
【請求項１１】
前記分離部の底部に、中心を同一とする直径の異なる複数の捕捉筒を配置して構成された異物捕捉部を備え、
前記異物捕捉部の各捕捉筒の直径が大きくなるに連れて高さが低くなっていることを特徴とする請求項４又は５記載の水中異物除去装置。
【請求項１２】
前記異物捕捉部の材質は、アクリロニトリル、ブタジエン、スチレンの共重合合成樹脂（ＡＢＳ樹脂）、ポリエチレン（ＰＥ）、ポリエチレンテレフタレート（ＰＥＴ）、ポリプロピレン、ポリ塩化ビニル、ポリスチレン、ポリテトラフルオロエチレン、ポリメタクリル酸メチル、ポリカーボネイト、ポリアミドイミド、ポリアセタール、シリコーンの何れかとし、前記異物捕捉部の表面粗さを中心線平均粗さにして３０μｍ以上としたことを特徴とする請求項６〜１１の何れか一項に記載の水中異物除去装置。
【請求項１３】
循環水槽及びポンプを有し、前記ポンプの運転によって前記循環水槽内の水を循環させる水循環装置において、
前記ポンプに並列に接続された請求項１〜１２の何れか一項に記載の水中異物除去装置と、
前記水中異物除去装置の水流入側に設けられたバルブとを備え、
前記水中異物除去装置に流入する水量を前記バルブで調節することを特徴とする水循環装置。
【発明の詳細な説明】
【技術分野】
【０００１】
本発明は、例えば、水中に含まれる異物粒子を捕捉して除去する水中異物除去装置及びその水中異物除去装置を備えた水循環装置に関するものである。
【背景技術】
【０００２】
空調・冷熱機器における熱交換器は、必要不可欠な技術である。熱交換器は、近接する２つの流体間に温度差が生じると、温度勾配に沿った熱移動が生じ、熱交換を行う性質を利用したものである。２流体の間には、熱伝導率の高い金属を伝熱面として挟むことで流体の混合を防ぎ、効率の良い熱交換を実現する。熱交換器には多くの種類があり、多管式、コイル式、二重管式、プレート式、スパイラル式などがある。熱交換を行う流体を一般に熱媒体や冷媒と呼び、主にフルオロカーボンやアンモニアなどが用いられる。
【０００３】
空調・冷熱機器の中には、熱媒体として水を用いた熱交換器を有する製品があり、水熱交換器と呼ばれる。水熱交換器を用いた空調機器の一例として産業用チラーがある。産業用チラーでは循環水を冷却し、冷水を提供する。産業用チラーの循環水回路には、鉄製配管が使用されることが多い。
【０００４】
産業用チラーの水熱交換器の伝熱面に鉄さびが付着することが知られている。ラジエータや鉄製配管といった鉄製部品に、循環水中の溶存酸素が酸化剤として作用することで酸化反応が起き、鉄さびが生じると考えられている。
【０００５】
伝熱部への鉄さびの付着は、熱交換の効率を下げるため、産業用チラーのような空調・冷熱機器の水循環回路中の循環水から鉄さびを除去する必要がある。
【０００６】
従来の水中異物除去装置では、円筒状の容器の接線方向から入る原水に旋回流を起こし、旋回流と重力沈降を利用して、異物と処理水を分離している。異物は装置下部から排出され、処理水は上部から外部へ排出される（例えば、特許文献１参照）。
【先行技術文献】
【特許文献】
【０００７】
【特許文献１】特開２００１−８７６０４号公報（図５）
【発明の概要】
【発明が解決しようとする課題】
【０００８】
前述した従来の水中異物除去装置では、異物の沈降部における巻き上げが生じ、分離効率が低下する。沈降部に旋回流を抑制するための邪魔板を設置しても、流動状態を乱すことになり、異物の巻き上げにつながるといった課題があった。
また、循環水を排出する流路の断面積が小さいため、出口流路付近の装置内の流動状態を乱し、異物の重力沈降を妨げると共に連続的な処理が困難という課題もあった。
【０００９】
本発明は、前記のような課題を解決するためになされたもので、沈降した異物の巻き上げを防止でき、出口流路付近の装置内の流動状態の乱れを抑制できる水中異物除去装置及びその水中異物除去装置を備えた水循環装置を提供することを目的とする。
【課題を解決するための手段】
【００１０】
この発明に係る水中異物除去装置は、上部が上端部から下方に向かうに連れて直径が広がる外形円錐状に形成された貯水槽と、貯水槽の上部の傾斜面に設けられ、当該貯水槽の壁に対して接線方向から水を流入させる水流入口と、貯水槽の上部の上端面を貫通して設けられ、当該貯水槽内の水を流出させる水流出口と、貯水槽の中に設けられた整流体とを備え、整流体は、上部が水流出口から下方に向かうに連れて直径が広がる貯水槽の上部の傾斜面と平行な外形円錐状に形成され、水流入口から流入する水は、貯水槽と整流体との間を旋回しながら降下した後に、整流体の内側に入って上昇し、水流出口から流出する。
【発明の効果】
【００１１】
この発明によれば、貯水槽の上部を外形円錐状とし、その上部の内側に上部が円錐形状の整流体を設けて、水を接線方向から流入させて旋回させている。これにより、異物粒子が沈降する滞留時間を確保すると共に流動状態の乱れを防止することができ、沈降した異物粒子の巻き上げを防ぐことができる。そのため、重力沈降によって異物粒子を貯水槽の底部に堆積させ、異物粒子を再浮上させることなく効率よく分離することができる。
【図面の簡単な説明】
【００１２】
【図１】本発明の実施の形態１に係る水中異物除去装置を模式的に示す断面図である。
【図２】図１の水中異物除去装置の上方を透かして示す平面図である。
【図３】図１の水中異物除去装置における粒子の沈降分離の考え方を示す図である。
【図４】本発明の実施の形態２に係る水中異物除去装置を模式的に示す断面図である。
【図５】図４の異物捕捉部を上方から見て示す拡大平面図である。
【図６】本発明の実施の形態３の水中異物除去装置における異物捕捉部の拡大平面図である。
【図７】本発明の実施の形態４に係る水中異物除去装置を模式的に示す断面図である。
【図８】本発明の実施の形態５に係る水中異物除去装置を模式的に示す断面図である。
【図９】図８に示す異物捕捉部の拡大平面図である。
【図１０】本発明の実施の形態６に係る水中異物除去装置を模式的に示す断面図である。
【図１１】本発明の実施の形態７に係る水中異物除去装置を模式的に示す断面図である。
【図１２】本発明の実施の形態８に係る水循環装置の概略構成を示す図である。
【発明を実施するための形態】
【００１３】
実施の形態１．
図１は本発明の実施の形態１に係る水中異物除去装置を模式的に示す断面図、図２は図１の水中異物除去装置の上方を透かして示す平面図、図３は図１の水中異物除去装置における粒子の沈降分離の考え方を示す図である。
【００１４】
実施の形態１に係る水中異物除去装置１００は、上部２ａが上端部から下方に向かうに連れて直径が広がる外形円錐状に形成された貯水槽２と、貯水槽２の上部２ａの傾斜面に設けられ、貯水槽２の壁に対して接線方向から水を流入させる水流入口１と、貯水槽２の上部２ａの上端面を貫通して設けられ、貯水槽２内の水を流出させる水流出口６と、貯水槽２の中に設けられた整流体３とを備えている。前述の貯水槽２は、下部２ｂが有底筒状に形成され、その下部２ｂの下側が分離部４として接合部５ａ、５ｂによって取り外し可能に接続されている。水流入口１及び水流出口６は、それぞれ水循環装置の水管と接続される。
【００１５】
整流体３は、上部３ａが水流出口６から下方に向かうに連れて直径が広がる外形円錐状に形成されている。その傾斜面は貯水槽２の上部２ａの傾斜面と平行になっている。また、整流体３の上部３ａには、筒状に形成された下部３ｂが接続されている。
【００１６】
前記のように構成された水中異物除去装置においては、水流入口１に循環水が流入すると、図２に示すように、その循環水は、貯水槽２の上部２ａの傾斜面と整流体３の上部３ａの傾斜面との間に流入し旋回流となる。そして、その間を旋回する循環水は、貯水槽２の筒状の下部２ｂと整流体３の筒状の下部３ｂとの間を旋回しながら貯水槽２の分離部４の底部に流れ込む。その旋回流によって、整流体３上を流れる時間が長くなると共に、その間に循環水に含まれる異物は外周に押し出され、異物粒子間の凝集が生じる。その凝集により径が大きくなった異物粒子は、分離部４の底部に重力沈降し、底部に堆積する。
【００１７】
異物粒子が除去された循環水は、整流体３の下部３ｂの内側に入って円錐状の上部３ａ内を通り、水流出口６から流出する。流出する循環水は、分離部４から貯水槽２の中央を通るため、整流体３の外側の旋回流によって外周に寄せられた異物粒子と混ざることなく、整流体３の内側の上部に達する。循環水の出口方向の流れを上向きとすることにより、分離部４中の上昇方向の流速を低下させ、分離部４の底部に溜まった異物粒子の巻き上げを防ぐ。
【００１８】
分離部４の底部に異物粒子が堆積された場合は、接合部５ａ、５ｂによって、分離部４を貯水槽２の下部２ｂから取り外し、分離部４を洗浄することで、堆積した異物粒子を除去し、異物粒子の捕捉能力を回復させることができる。分離部４の洗浄頻度は、循環水に含まれる異物量に応じて増減する。例えば、循環水の流量を１００ｔｏｎ／ｈｒとし、異物濃度を１０ｍｇ／Ｌとし、分離部４の体積を６０Ｌとした場合は、２ヶ月に１回以上の頻度で洗浄するとよい。
【００１９】
次に、動作原理について図３を用いて説明する。図３に整流体３より下の部分における異物粒子の運動について示す。
整流体３から下方へ流出した旋回流の循環水は、分離部４の中心方向へ平均流速Ｖｈで移動し、整流体３の内側を平均流速Ｖｕで上昇した後、水流出口６から流出される。異物粒子の沈降速度をＶｐ、整流体３と貯水槽２との間の距離をΔＲとし（この部分では上向きの流れは生じないとする。）、整流体３の下端から分離部４の底部までの高さをｈ２とする。異物粒子が分離部４の底部に捕捉されるには、以下の式を満たせばよい。時間ｔを異物粒子が分離部４の底部に到着する時間とすると、式（１）が成立する。
【００２０】
Ｖｐ・ｔ＝ｈ２              ・・・（１）
Ｖｈ・ｔ＜ΔＲ              ・・・（２）
前記の式（２）は、時間ｔにおいて異物粒子が整流体３の内側に存在しないときの条件である。
異物粒子は、沈降速度Ｖｐが循環水の上昇速度Ｖｕよりも大きければ、整流体３の内側に存在しても上向きの流れの中でも沈降し、分離部４の底部に到達する。よって、式（２）を満足しなくても以下の式（３）を満たせばよい。
Ｖｕ＜Ｖｐ                  ・・・（３）
【００２１】
以上の式を満たす条件として、貯水槽２の最大半径Ｒ２、整流体３の最大半径Ｒ１を以下のように決める。
沈降速度Ｖｐは異物粒子の径に依存するため、その粒子の径が５μｍ以上の場合には、Ｒ２／Ｒ１＝１．２以上１．５以下が望ましい。異物粒子の径が５μｍ未満の場合には、Ｒ２／Ｒ１＝１．５以上２．０以下が望ましい。つまり、整流体３の最大半径Ｒ１を貯水槽２の最大半径Ｒ２の０．５倍以上０．６７倍以下とする。なお、貯水槽２の下部２ｂは円筒形であり、上部２ａの最大半径は下部２ｂの半径と一致するように構成されている。整流体３の下端から分離部４の底部までの高さｈ２は、整流体３の高さｈ１の１倍以上の高さとすればよい。
【００２２】
以上のように実施の形態１においては、旋回流に伴う異物粒子の凝集と異物粒子の径に合わせた貯水槽２の半径Ｒ２と整流体３の下端から分離部４の底部までの高さｈ２により、異物粒子が沈降する滞留時間を確保すると共に流動状態の乱れを防止することができ、沈降した異物粒子の巻き上げを防ぐことができる。そのため、重力沈降によって異物粒子を分離部４の底部に堆積させ、異物粒子を再浮上させることなく効率よく分離することができる。
【００２３】
実施の形態２．
実施の形態２は、貯水槽２の分離部４の底部に、異物粒子を捕捉するための異物捕捉部を設けたものである。
図４は本発明の実施の形態２に係る水中異物除去装置を模式的に示す断面図、図５は図４の異物捕捉部を上方から見て示す拡大平面図である。なお、実施の形態２においては、実施の形態１と同様の部分には同じ符号を付し、実施の形態１にない異物捕捉部について説明する。
【００２４】
貯水槽２の分離部４の底部には、底部の軸心を直交する線を中心として、上下・左右に対称的に複数の捕捉板７ａを等間隔に配置して構成された格子状の異物捕捉部７が設置されている。例えば、各捕捉板７ａの厚さは０．５ｃｍ以上で、各捕捉板７ａの高さは分離部４の高さの１／２以下に設定されている。なお、捕捉板７ａの枚数は、前記条件を満たし、上下・左右に対称的な格子状となれば何枚配置してもよい。また、前述の捕捉板７ａの厚さ及び高さは一例であって、分離部４の直径及び高さに応じて設定される。各捕捉板７ａの材質は、アクリロニトリル、ブタジエン、スチレンの共重合合成樹脂（ＡＢＳ樹脂）、ポリエチレン（ＰＥ）、ポリエチレンテレフタレート（ＰＥＴ）、ポリプロピレン、ポリ塩化ビニル、ポリスチレン、ポリテトラフルオロエチレン、ポリメタクリル酸メチル、ポリカーボネイト、ポリアミドイミド、ポリアセタール、シリコーンの何れかが使用されている。その捕捉板７ａの表面は、表面形状測定または粗さ計による表面粗さ測定によって中心線平均粗さが３０μｍ以上となるように施されている。
【００２５】
この構成によれば、分離部４の底部に至る前に中心方向の速度を持って整流体３の内側に入る一部の異物粒子についても、上向きの水流に乗る前に異物捕捉部７によって捕捉される。異物捕捉部７が格子状となっているため、分離部４の中心方向の速度を持つ異物粒子は異物捕捉部７に衝突する。異物捕捉部７に衝突して捕捉された異物粒子は、分離部４の底部に堆積する。異物捕捉部７の各捕捉板７ａの表面に粗さを持たせた樹脂とすることで、静電気的に中性な樹脂による分子間力の効果により異物粒子が捕捉される。異物粒子の一例である酸化鉄粒子の凝集体の直径が最大で３０μｍ程度であることから、表面粗さを３０μｍとすることで、凝集体が各捕捉板７ａの凹みに捕捉され易くなる。
【００２６】
以上のように実施の形態２においては、分離部４の底部に、底部の軸心を直交する線を中心として、上下・左右に対称的に複数の捕捉板７ａを等間隔に配置して構成された格子状の異物捕捉部７を設置している。この構成により、分離部４の中心方向の速度を持った異物粒子が上向きの水流に乗る前に異物捕捉部７の各捕捉板７ａに衝突して捕捉され、そのため、沈降した異物粒子の巻き上げを抑えることができる。
【００２７】
実施の形態３．
図６は本発明の実施の形態３の水中異物除去装置における異物捕捉部の拡大平面図である。なお、実施の形態３においては、実施の形態２と同様の部分には同じ符号を付し、実施の形態２と異なる異物捕捉部７について説明する。
【００２８】
貯水槽２の分離部４の底部には、その底部の軸心を同一中心とする直径の異なるリング捕捉板７ｂを配置して構成された異物捕捉部７が設置されている。各リング捕捉板７ｂは、分離部４の高さ方向に積層されており、リング捕捉板７ｂの１枚の厚さは、分離部４の底部の直径をリング捕捉板７ｂの積層枚数の４倍の値で割った値以下とする。ただし、各リング捕捉板７ｂの１枚の厚さは、長期運転に耐える強度を確保するために０．５ｃｍ以上とすることが望ましい。各リング捕捉板７ｂをそれぞれ積層して構成される異物捕捉部７の高さは、分離部４の高さの１／２以下とする。なお、計算上の各リング捕捉板７ｂの１枚の厚さが０．５ｃｍ未満の場合には、分離部４の底部に設置するリング捕捉板７ｂの個数を減らす必要がある。異物捕捉部７を構成する各リング捕捉板７ｂの材質は、アクリロニトリル、ブタジエン、スチレンの共重合合成樹脂（ＡＢＳ樹脂）、ポリエチレン（ＰＥ）、ポリエチレンテレフタレート（ＰＥＴ）、ポリプロピレン、ポリ塩化ビニル、ポリスチレン、ポリテトラフルオロエチレン、ポリメタクリル酸メチル、ポリカーボネイト、ポリアミドイミド、ポリアセタール、シリコーンの何れかが使用されている。そのリング捕捉板７ｂの表面は、表面形状測定または粗さ計による表面粗さ測定によって中心線平均粗さが３０μｍ以上となるように施されている。
【００２９】
この構成によれば、分離部４の底部に至る前に中心方向の速度を持って整流体３の内側に入る一部の異物粒子についても、上向きの水流に乗る前に異物捕捉部７によって捕捉される。異物捕捉部７に捕捉された異物粒子は、分離部４の底部に堆積する。異物捕捉部７は直径の異なる複数のリング捕捉板７ｂで構成されているため、分離部４内の流動状態を乱すことなく、循環水の流れが分離部４の底部に至るのを防ぐ。そのため、異物粒子の巻き上げを防止することができ、異物粒子の回収率を高めることができる。異物捕捉部７のリング捕捉板７ｂの材質を表面に粗さを持たせた樹脂とすることで、静電気的に中性な樹脂による分子間力の効果により異物粒子が捕捉される。異物粒子の一例である酸化鉄粒子の凝集体の直径が最大で３０μｍ程度であることから、表面粗さを３０μｍとすることで、酸化鉄粒子の凝集体が各リング捕捉板７ｂの凹みに捕捉され易くなる。
【００３０】
以上のように実施の形態３においては、分離部４の底部に、その底部の軸心を同一中心とする直径の異なるリング捕捉板７ｂを配置して構成された異物捕捉部７を設置している。この構成により、分離部４の中心方向の速度を持った異物粒子を上向きの水流に乗る前に捕捉することができ、そのため、沈降した異物粒子の巻き上げを抑えることができる。
【００３１】
実施の形態４．
図７は本発明の実施の形態４に係る水中異物除去装置を模式的に示す断面図である。なお、実施の形態４においては、実施の形態２と同様の部分には同じ符号を付し、実施の形態２と異なる部分だけを説明する。
【００３２】
実施の形態４においては、分離部４の底部の中央には、上端に異物上昇抑制板８が設けられた支持部８ａが設置され、また、分離部４の底部には、支持部８ａを中央とする格子状の異物捕捉部７が設置されている。異物上昇抑制板８は、上方から見て円形状に形成され、下面が分離部４の底部に対して平行になっている。異物上昇抑制板８の位置は、異物捕捉部７の高さの１．５倍以上とし、異物上昇抑制板８の円形の面積は、分離部４の底部の面積の１／４以上１／２以下とし、異物上昇抑制板８の厚さは、２ｃｍ以上かつ分離部４の高さの１／４以下となっている。異物捕捉部７は、実施の形態２と同様に、複数の捕捉板７ａを用いて格子状に形成されている。各捕捉板７ａの厚さは０．５ｃｍ以上とし、各捕捉板７ａの高さは分離部４の高さの１／２以下としている。
【００３３】
この構成によれば、異物捕捉部７に至る前に整流体３の内側に入る一部の異物粒子についても、上向きの水流に乗る前に異物上昇抑制板８によって捕捉できる。異物上昇抑制板８と異物捕捉部７の間には下向きの流れが生じ、１回の接触で捕捉できない異物粒子が再び異物捕捉部７に接触して捕捉されるので、異物粒子の回収率を高めることができる。異物捕捉部７があることから、下向きの流れを生じても沈降した異物粒子の巻き上げは生じない。異物上昇抑制板８は、分離部４の底部の中央に配置されて十分な高さがあることから、異物上昇抑制板８の上面に堆積する異物粒子の量は十分に少ない。
【００３４】
以上のように実施の形態４においては、異物上昇抑制板８を異物捕捉部７の高さの１．５倍以上の位置に配置し、分離部４の底部に異物上昇抑制板８を中央として格子状の異物捕捉部７を配置している。この構成により、異物粒子が上向きの水流に乗る前に異物上昇抑制板８によって捕捉することができ、更に異物粒子の一部が残存する循環水に下向きへの水流を生じさせて、再び循環水を異物捕捉部７に接触させて捕捉することができ、循環水に残存した異物粒子を効率よく回収することができる。
【００３５】
実施の形態５．
図８は本発明の実施の形態５に係る水中異物除去装置を模式的に示す断面図、図９は図８に示す異物捕捉部の拡大平面図である。なお、実施の形態５においては、実施の形態２と同様の部分には同じ符号を付し、実施の形態２と異なる異物捕捉部について説明する。
【００３６】
貯水槽２の分離部４の底部に、例えば、底部の全面に対し１本/ｃｍ２以上の密度で同心円状に複数の捕捉棒９ａを配置して構成された異物捕捉部９が設けられている（図９参照）。各捕捉棒９ａは、先端が針状に尖っており、断面が円形状に形成されている。各捕捉棒９ａの先端の角度は例えば４５°以下とし、各捕捉棒９ａの胴部の直径は０．５ｃｍ以上とし、各捕捉棒９ａの高さは、分離部４の高さの１／２以下としている。各捕捉棒９ａの材質は、アクリロニトリル、ブタジエン、スチレンの共重合合成樹脂（ＡＢＳ樹脂）、ポリエチレン（ＰＥ）、ポリエチレンテレフタレート（ＰＥＴ）、ポリプロピレン、ポリ塩化ビニル、ポリスチレン、ポリテトラフルオロエチレン、ポリメタクリル酸メチル、ポリカーボネイト、ポリアミドイミド、ポリアセタール、シリコーンの何れかが使用されている。その捕捉棒９ａの表面は、表面形状測定または粗さ計による表面粗さ測定によって中心線平均粗さが３０μｍ以上となるように施されている。
【００３７】
この構成によれば、分離部４の底部に至る前に整流体３の内側に入る一部の異物粒子についても、上向きの水流に乗る前に複数の捕捉棒９ａによって捕捉される。循環水に対する捕捉棒９ａの接触面積を増加させると共に、捕捉した異物粒子を針状の斜面に沿わせて効率よく捕捉棒９ａの基部に導いて分離部４の底部に沈降させる。捕捉棒９ａの材質を表面に粗さを持たせた樹脂とすることで、静電気的に中性な樹脂による分子間力の効果により異物粒子が捕捉される。異物粒子の一例である酸化鉄粒子の凝集体の直径が最大で３０μｍ程度であることから、表面粗さを３０μｍとすることで、凝集体が捕捉棒９ａの凹みに捕捉され易くなる。
【００３８】
以上のように実施の形態５においては、先端が尖った複数の捕捉棒９ａを底部の全面に対し１本／ｃｍ２以上の密度で同心円状に配置している。この構成により、異物粒子が上向きの水流に乗る前に捕捉することができ、更に異物粒子と複数の捕捉棒９ａとの接触面積を増加させる効果がある。また、捕捉棒９ａの先端で捕捉した異物粒子を斜面に沿わせて捕捉棒９ａの基部に導くことができ、そのため、異物粒子を効率よく沈降させることができ、循環水による巻き上げを防ぐことができる。
【００３９】
実施の形態６．
図１０は本発明の実施の形態６に係る水中異物除去装置を模式的に示す断面図である。なお、実施の形態６においては、実施の形態５と同様の部分には同じ符号を付し、実施の形態５と異なる部分だけを説明する。
【００４０】
実施の形態６においては、分離部４の底部の中央に設置された支持部１０ａ上に異物上昇抑制板１０が設置され、その支持部１０ａを中央とする底部に複数の捕捉棒９ａで構成される異物捕捉部９が設けられている。
異物上昇抑制板１０は、上方から見て円形状に形成され、下面が分離部４の底部に対して平行で、上面が上方へ突出するように円弧状に形成されている。異物上昇抑制板１０の位置は、捕捉棒９ａの高さの１．５倍以上とし、異物上昇抑制板１０の円形の面積は、分離部４の底部の面積の１／４以上１／２以下とし、異物上昇抑制板１０の厚さは、２ｃｍ以上かつ分離部４の高さの１／４以下となっている。
【００４１】
この構成によれば、捕捉棒９ａに至る前に整流体３の内側に入る一部の異物粒子についても、上向きの水流に乗る前に異物上昇抑制板１０によって捕捉できる。異物上昇抑制板１０と複数の捕捉棒９ａとの間には下向きの流れが生じ、１回の接触で捕捉できない異物粒子が再び複数の捕捉棒９ａに接触して捕捉されるので、異物粒子の回収率を高めることができる。分離部４の底部に複数の捕捉棒９ａがあることから、下向きの流れを生じても沈降した異物粒子の巻き上げは生じない。異物上昇抑制板１０は、分離部４の底部の中央に配置されて十分な高さがある上に、異物上昇抑制板１０の上面が円弧状に形成されているため、その上面に沿って異物粒子が降下し、分離部４の底部側に流れて複数の捕捉棒９ａにより捕捉される。
【００４２】
以上のように実施の形態６においては、異物上昇抑制板１０を捕捉棒９ａの高さの１．５倍以上の位置に配置し、その複数の捕捉棒９ａを支持部８ａの周囲に配置している。この構成により、異物粒子が上向きの水流に乗る前に異物上昇抑制板１０によって捕捉することができ、更に異物粒子の一部が残存する循環水に下向きへの水流を生じさせて、再び循環水を複数の捕捉棒９ａに接触させることができ、循環水に残存した異物粒子を効率よく捕捉することができる。また、異物上昇抑制板１０の上面が円弧状に形成されているため、異物粒子が上向きの水流に乗る前にその円弧状の面に沿わせて降下させることができる。そのため、再び分離部４の底部に配置された複数の捕捉棒９ａにより捕捉させることができ、異物粒子の回収率を高めることができる。
【００４３】
実施の形態７．
図１１は本発明の実施の形態７に係る水中異物除去装置を模式的に示す断面図である。なお、実施の形態７においては、実施の形態６と同様の部分には同じ符号を付し、実施の形態６と異なる部分だけを説明する。
【００４４】
貯水槽２の分離部４の底部に、その底部の軸心を同一中心とする直径の異なる例えば３本の捕捉筒１１ａ、１１ｂ、１１ｃが等間隔に配置されて構成された異物捕捉部１１が設けられている。３本の捕捉筒１１ａ、１１ｂ、１１ｃのうちの直径が小さい捕捉筒１１ａの高さが最も高く、直径が大きくなるに連れて捕捉筒１１ｂ、１１ｃの高さが順に低くなっている。捕捉筒１１ａの高さは、分離部４の高さの０．７５倍であり、捕捉筒１１ａ、１１ｂ、１１ｃの厚さは、０．５ｃｍ以上である。なお、一例として３本の捕捉筒１１ａ、１１ｂ、１１ｃとしているが、４本以上の捕捉筒を用いてもよい。その場合、分離部４の底部の軸心を同一中心として等間隔に配置し、最も高い捕捉筒を前述の如く分離部４の高さの０．７５倍とする。捕捉筒１１ａ、１１ｂ、１１ｃの材質は、アクリロニトリル、ブタジエン、スチレンの共重合合成樹脂（ＡＢＳ樹脂）、ポリエチレン（ＰＥ）、ポリエチレンテレフタレート（ＰＥＴ）、ポリプロピレン、ポリ塩化ビニル、ポリスチレン、ポリテトラフルオロエチレン、ポリメタクリル酸メチル、ポリカーボネイト、ポリアミドイミド、ポリアセタール、シリコーンの何れかが使用されている。各捕捉筒１１ａ、１１ｂ、１１ｃの表面は、表面形状測定または粗さ計による表面粗さ測定によって中心線平均粗さが３０μｍ以上となるように施されている。
【００４５】
この構成によれば、分離部４の底部に至る前に整流体３の内側に入る一部の異物粒子についても、上向きの流れが強い中央部分に位置する最も高さの高い捕捉筒１１ａの内部に入る。各捕捉筒１１ａ、１１ｂ、１１ｃの外周面が整流体として作用し、沈降した粒子の巻き上げを防ぐ。また、各捕捉筒１１ａ、１１ｂ、１１ｃの材質を表面に粗さを持たせた樹脂とすることで、静電気的に中性な樹脂による分子間力の効果により異物粒子が捕捉される。異物粒子の一例である酸化鉄粒子の凝集体の直径が最大で３０μｍ程度であることから、表面粗さを３０μｍとすることで、酸化鉄粒子の凝集体が各捕捉筒１１ａ、１１ｂ、１１ｃの凹みに捕捉され易くなる。
【００４６】
以上のように実施の形態７においては、分離部４の底部に、その底部の軸心を同一中心とする直径の異なる３本の捕捉筒１１ａ、１１ｂ、１１ｃを等間隔に配置し、そのうちの直径が小さい捕捉筒１１ａの高さが最も高く、直径が大きくなるに連れて捕捉筒１１ｂ、１１ｃの高さが順に低くなるようにしている。この構成により、中央部に高い多層円筒を設置することで、上向きの流れが強い中央部分ほど早い段階で異物粒子が上向きの水流に乗る前に捕捉することができ、異物粒子の巻き上げを防止できる。また、各捕捉筒１１ａ、１１ｂ、１１ｃの外周面が整流体として作用するので、その周囲を旋回する異物粒子を捕捉することができ、より異物粒子の回収率が高くなる。
【００４７】
なお、実施の形態３では、分離部４の底部にその底部の軸心を同一中心とする直径の異なるリング捕捉板７ｂを配置して構成された異物捕捉部７を設けたことについて説明したが、分離部４の底部の中央に、異物上昇抑制板８あるいは異物上昇抑制板１０の何れかを加えるようにしてもよい。
【００４８】
実施の形態８．
図１２は本発明の実施の形態８に係る水循環装置の概略構成を示す図である。
図中に示す水循環装置は、空調機器１２、ポンプ１３及び循環水槽１６で構成される水循環回路に水中異物除去装置１５を備えている。水中異物除去装置１５は、水流入側がバルブ１４ａを介してポンプ１３の流入側に接続され、水流出側がバルブ１４ｂを介してポンプ１３の流入側に接続されている。水中異物除去装置１５に流入する水の量は、循環水量の例えば５％以下となるように、バルブ１４ａの開度が制御される。
【００４９】
この構成によれば、バルブ１４ａ、１４ｂにより、適切な水の量を水中異物除去装置１５に流入させることができるので、分離効率を高めることが可能となっている。
【００５０】
実施例．
ここで、以下に示す水中異物除去装置を水循環装置に適用した場合の具体例について説明する。
循環水の流量を例えば１００ｔｏｎ／ｈｒとすると、水中異物除去装置１５には、バルブ１４ａ、１５ｂによって流量の５％である５ｔｏｎ／ｈｒ、つまり、８５Ｌ／ｍｉｎが流れる。水中異物除去装置１５の各寸法を図１の符号に従って示すと、ｈ１＝ｈ２＝６０ｃｍ、Ｒ１＝１２ｃｍ、Ｒ２＝１８ｃｍ、ΔＲ＝６ｃｍ、水流入口１を半径５ｃｍの円形とする。異物捕捉部７の中心を分離部４の底部の軸心とし、リング捕捉板７ｂの積層枚数を４枚、高さを１５ｃｍ、厚さを２ｃｍ、リング捕捉板７ｂ間の間隔を２ｃｍ、つまり、外径８ｃｍ、１６ｃｍ、２４ｃｍ、３２ｃｍの４つのリング捕捉板７ｂとし、材質を例えばポリエチレンテレフタレートとする。そして、表面形状測定または粗さ計による表面粗さ測定によって中心線平均粗さ３０μｍ以上にする。また、異物上昇抑制板８の半径を１０ｃｍ、厚さを１０ｃｍ、分離部４の底部から異物上昇抑制板８の下面までの高さを２５ｃｍとする。
【００５１】
循環水に１ｍｇ／Ｌの濃度で酸化鉄が含まれるとし、分離部４の洗浄頻度を２ヶ月に１回とする。除去装置の手前と出口で循環水を１０ｍＬ採取し、循環水に含まれる酸化鉄量を比較したところ、運転直後は８５％以上の回収率であり、２ヶ月で８０％まで低下したが、洗浄を行うことで、８５％まで回復した。
この構成により、水中異物除去装置に適量の循環水を加えることが可能であり、効率よく異物粒子を分離することができる。
【符号の説明】
【００５２】
１  水流入口、２  貯水槽、２ａ  貯水槽の上部、２ｂ  貯水槽の下部、３  整流体、３ａ  整流体の上部、３ｂ  整流体の下部、４  分離部、５ａ、５ｂ  接合部、６  水流出口、７  異物捕捉部、７ａ  捕捉板、７ｂ  リング捕捉板、８、１０  異物上昇抑制板、８ａ、１０ａ  支持部、９  異物捕捉部、９ａ  捕捉棒、１１  異物捕捉部、１１ａ、１１ｂ、１１ｃ  捕捉筒、１２  空調機器、１３  ポンプ、１４ａ、１４ｂ  バルブ、１５  水中異物除去装置、１６  循環水槽。
【図１】
2014144442.tif 000003
【図２】
2014144442.tif 000004
【図３】
2014144442.tif 000005
【図４】
2014144442.tif 000006
【図５】
2014144442.tif 000007
【図６】
2014144442.tif 000008
【図７】
2014144442.tif 000009
【図８】
2014144442.tif 000010
【図９】
2014144442.tif 000011
【図１０】
2014144442.tif 000012
【図１１】
2014144442.tif 000013
【図１２】
2014144442.tif 000014